【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
負の屈折力を有する負のレンズ群及びその像側の何れかに配される少なくとも１つの正の屈折力を有する正のレンズ群を含み、
前記負のレンズ群と前記正のレンズ群が変倍の際に相互の間隔が変化し、
前記正のレンズ群は、物体側より正レンズと負レンズの順で接合された２つの接合レンズを含み、
前記２つの接合レンズの中の像側に配された接合レンズの形状が、像側に凹面を向けたメニスカス形状であることを特徴とするズームレンズ。
【請求項２】
負の屈折力を有する負のレンズ群及びその像側の何れかに配される少なくとも１つの正の屈折力を有する正のレンズ群を含み、
前記負のレンズ群と前記正のレンズ群が変倍の際に相互の間隔が変化し、
前記正のレンズ群は、物体側より正レンズと負レンズの順で接合された２つの接合レンズを含み、
前記２つの接合レンズの中の像側に配された接合レンズは負の屈折力を有することを特徴とするズームレンズ。
【請求項３】
負の屈折力を有する負のレンズ群及びその像側の何れかに配される少なくとも１つの正の屈折力を有する正のレンズ群を含み、
前記負のレンズ群と前記正のレンズ群が変倍の際に相互の間隔が変化し、
前記正のレンズ群は、物体側より正レンズと負レンズの順で接合された２つの接合レンズを含み、
前記２つの接合レンズが以下の条件（１）、（２）を満足することを特徴とするズームレンズ。
（１）    ０．０００＜ＡＶＥ［（ΔθgF）Ｃ１ｐ，（ΔθgF）Ｃ２ｐ］
＜０．０８０
（２）    −０．０３０＜ＡＶＥ［（ΔθgF）Ｃ１ｎ，（ΔθgF）Ｃ２ｎ］
＜０．００３
ただし、
（ΔθgF）Ｃ１ｐは、２つの接合レンズの中の物体側に配された接合レンズの正レンズの媒質の異常分散性、
（ΔθgF）Ｃ１ｎは、２つの接合レンズの中の物体側に配された接合レンズの負レンズの媒質の異常分散性、
（ΔθgF）Ｃ２ｐは、２つの接合レンズの中の像側に配された接合レンズの正レンズの媒質の異常分散性、
（ΔθgF）Ｃ２ｎは、２つの接合レンズの中の像側に配された接合レンズの負レンズの媒質の異常分散性、
ＡＶＥ［（ΔθgF）Ｃ１ｐ，（ΔθgF）Ｃ２ｐ］は（ΔθgF）Ｃ１ｐと（ΔθgF）Ｃ２ｐとの相加平均、
ＡＶＥ［（ΔθgF）Ｃ１ｎ，（ΔθgF）Ｃ２ｎ］は（ΔθgF）Ｃ１ｎと（ΔθgF）Ｃ２ｎとの相加平均である。
【請求項４】
負の屈折力を有する負のレンズ群及びその像側の何れかに配される少なくとも１つの正の屈折力を有する正のレンズ群を含み、
前記負のレンズ群と前記正のレンズ群が変倍の際に相互の間隔が変化し、
前記正のレンズ群は、物体側より正レンズと負レンズの順で接合された２つの接合レンズを含み、
以下の条件（３−１）又は（３−２）の少なくとも何れか一方、及び、以下の条件（４−１）又は（４−２）の少なくとも何れか一方を満足することを特徴とするズームレンズ。
（３−１）  ０．００００＜（ΔθgF）Ｃ１ｐ＜０．１０００
（３−２）  ０．００００＜（ΔθgF）Ｃ２ｐ＜０．１０００
（４−１）  −０．０３００＜（ΔθgF）Ｃ１ｎ＜０．００００
（４−２）  −０．０３００＜（ΔθgF）Ｃ２ｎ＜０．００００
ただし、
（ΔθgF）Ｃ１ｐは、２つの接合レンズの中の物体側に配された接合レンズの正レンズの媒質の異常分散性、
（ΔθgF）Ｃ１ｎは、２つの接合レンズの中の物体側に配された接合レンズの負レンズの媒質の異常分散性、
（ΔθgF）Ｃ２ｐは、２つの接合レンズの中の像側に配された接合レンズの正レンズの媒質の異常分散性、
（ΔθgF）Ｃ２ｎは、２つの接合レンズの中の像側に配された接合レンズの負レンズの媒質の異常分散性である。
【請求項５】
前記正のレンズ群は、前記２つの接合レンズのみで構成されていることを特徴とする請求項１から４の何れか１項記載のズームレンズ。
【請求項６】
前記２つの接合レンズの中の物体側に配された接合レンズの正レンズは非球面を有することを特徴とする請求項１から５の何れか１項記載のズームレンズ。
【請求項７】
前記負のレンズ群と前記正のレンズ群との間の何れかに開口絞りを配したことを特徴とする請求項１から６の何れか１項記載のズームレンズ。
【請求項８】
前記開口絞りの像側に配される全てのレンズ群は、各々変倍時又は合焦時の少なくとも何れかで光軸上を移動することを特徴とする請求項７記載のズームレンズ。
【請求項９】
前記２つの接合レンズの中の像側に配された接合レンズの形状が以下の条件（ｅ）を満足することを特徴とする請求項１記載のズームレンズ。
（ｅ）    １．６＜（ＲC21 ＋ＲC22 ）／（ＲC21 −ＲC22 ）＜８．０
ただし、ＲC21 は像側に配された接合レンズの物体側面の光軸上の曲率半径、ＲC22 は像側に配された接合レンズの像側面の光軸上の曲率半径である。
【請求項１０】
負の屈折力を有する負のレンズ群及びその像側の何れかに配される少なくとも１つの正の屈折力を有する正のレンズ群を含み、前記負のレンズ群と前記正のレンズ群が変倍の際に相互の間隔が変化し、前記正のレンズ群は、物体側より正レンズと負レンズの順で接合された２つの接合レンズを含み、前記正のレンズ群中に含まれる全ての正レンズの異常分散性の相加平均をＡＶＥ［（ΔθgF）ｐｉ］としたときに、以下の条件（ｆ）を満足することを特徴とするズームレンズ。
（ｆ）    ０．０００＜ＡＶＥ［（ΔθgF）ｐｉ］＜０．０８０
【請求項１１】
以下の条件（ｇ）、（ｈ）を満足することを特徴とする請求項１から９の何れか１項記載のズームレンズ。
（ｇ）    ５０＜ＡＶＥ［（νd ）Ｃ１ｐ，（νd ）Ｃ２ｐ］
（ｈ）    ＡＶＥ［（νd ）Ｃ１ｎ，（νd ）Ｃ２ｎ］＜５０
ただし、
（νd ）Ｃ１ｐは、２つの接合レンズの中の物体側に配された接合レンズの正レンズの媒質のｄ線基準アッッベ数、
（νd ）Ｃ２ｐは、２つの接合レンズの中の像側に配された接合レンズの正レンズの媒質のｄ線基準アッッベ数、
（νd ）Ｃ１ｎは、２つの接合レンズの中の物体側に配された接合レンズの負レンズの媒質のｄ線基準アッッベ数、
（νd ）Ｃ２ｎは、２つの接合レンズの中の像側に配された接合レンズの負レンズの媒質のｄ線基準アッッベ数、
ＡＶＥ［（νd ）Ｃ１ｐ，（νd ）Ｃ２ｐ］は（νd ）Ｃ１ｐと（νd ）Ｃ２ｐとの相加平均、
ＡＶＥ［（νd ）Ｃ１ｎ，（νd ）Ｃ２ｎ］は（νd ）Ｃ１ｎと（νd ）Ｃ２ｎとの相加平均である。
【請求項１２】
以下の条件（ｉ−１）又は（ｉ−２）の少なくとも何れか一方、及び、以下の条件（ｊ−１）又は（ｊ−２）の少なくとも何れか一方を満足することを特徴とする請求項１から１１の何れか１項記載のズームレンズ。
（ｉ−１）  ６０＜（νd ）Ｃ１ｐ
（ｉ−２）  ６０＜（νd ）Ｃ２ｐ
（ｊ−１）  （νd ）Ｃ１ｎ＜３０
（ｊ−２）  （νd ）Ｃ２ｎ＜３０
ただし、
（νd ）Ｃ１ｐは、２つの接合レンズの中の物体側に配された接合レンズの正レンズの媒質のｄ線基準アッッベ数、
（νd ）Ｃ２ｐは、２つの接合レンズの中の像側に配された接合レンズの正レンズの媒質のｄ線基準アッッベ数、
（νd ）Ｃ１ｎは、２つの接合レンズの中の物体側に配された接合レンズの負レンズの媒質のｄ線基準アッッベ数、
（νd ）Ｃ２ｎは、２つの接合レンズの中の像側に配された接合レンズの負レンズの媒質のｄ線基準アッッベ数である。
【請求項１３】
以下の条件（ｏ）、（ｐ）を満足することを特徴とする請求項１から１２の何れか１項記載のズームレンズ。
（ｏ）    −２０＜（νd ）Ｃ１ｐ−（νd ）Ｃ１ｎ＜５０
（ｐ）    ２０＜（νd ）Ｃ２ｐ−（νd ）Ｃ２ｎ＜７０
ただし、
（νd ）Ｃ１ｐは、２つの接合レンズの中の物体側に配された接合レンズの正レンズの媒質のｄ線基準アッッベ数、
（νd ）Ｃ２ｐは、２つの接合レンズの中の像側に配された接合レンズの正レンズの媒質のｄ線基準アッッベ数、
（νd ）Ｃ１ｎは、２つの接合レンズの中の物体側に配された接合レンズの負レンズの媒質のｄ線基準アッッベ数、
（νd ）Ｃ２ｎは、２つの接合レンズの中の像側に配された接合レンズの負レンズの媒質のｄ線基準アッッベ数である。
【請求項１４】
前記ズームレンズは最も物体側に正の屈折力の第１レンズ群を有することを特徴とする請求項１から１３の何れか１項記載のズームレンズ。
【請求項１５】
前記正のレンス群が無限遠物点合焦時における変倍時の移動量に関して以下の条件（ｒ）を満足することを特徴とする請求項１４記載のズームレンズ。
（ｒ）    −０．０５＜ｍＳＴ／ｍＷＳ＜０．１５
ただし、移動方向が像側を正とし、ｍＷＳは、広角端から中間焦点距離状態までの正のレンズ群の移動量、ｍＳＴは、中間焦点距離状態から望遠端までの正のレンズ群の移動量であり、中間焦点距離状態は、広角端の焦点距離と望遠端の焦点距離の相乗平均の焦点距離となる状態と定義する。
【請求項１６】
前記正のレンズ群は、合焦時に固定であることを特徴とする請求項１４又は１５記載のズームレンズ。
【請求項１７】
前記負のレンズ群が前記第１レンズ群の像側直後の第２レンズ群であることを特徴とする請求項１４から１６の何れか１項記載のズームレンズ。
【請求項１８】
前記負のレンズ群の最も物体側のレンズが、以下の条件（ｓ）を満足する負レンズであることを特徴とする請求項１７記載のズームレンズ。
（ｓ）    １．８３＜ｎ21＜２．０１
ただし、ｎ21は負レンズのｄ線における媒質の屈折率である。
【請求項１９】
前記第１レンズ群の中の少なくとも１つの正レンズが、以下の条件（ｕ）を満足することを特徴とする請求項１４から１８の何れか１項記載のズームレンズ。
（ｕ）    ０．００４＜（ΔθgF）* ＜０．１
ただし、（ΔθgF）* は、第１レンズ群中の任意の正レンズの異常分散性である。
【請求項２０】
前記第１レンズ群の中の少なくとも１つの正レンズが、以下の条件（ｕ）を満足し、かつ、他の正レンズが以下の条件（ｖ）を満足することを特徴とする請求項１４から１８の何れか１項記載のズームレンズ。
（ｕ）    ０．００４＜（ΔθgF）* ＜０．１
（ｖ）    ０．０００＜（ΔθgF）**＜０．１
ただし、
（ΔθgF）* は、第１レンズ群中の任意の正レンズの異常分散性、
（ΔθgF）**は、任意の正レンズとは別の第１レンズ群中の正レンズの異常分散性である。
【請求項２１】
以下の条件（ｘ）、（ｙ）を満足することを特徴とする請求項１４から２０の何れか１項記載のズームレンズ。
（ｘ）    １．２≦−β２Ｔ≦１０
（ｙ）    ０．１≦−βＲＴ≦０．６
ただし、β２Ｔは負のレンズ群の倍率、βＲＴは負のレンズ群よりも像側に配される全てのレンズ群の無限遠物点合焦時における望遠端での倍率である。
【請求項２２】
請求項１から２１の何れか１項記載のズームレンズとその像面側に配された撮像素子とを有することを特徴とする撮像装置。
【請求項２３】
前記正のレンズ群に含まれる何れかの正レンズが以下の条件（ｋ）を満足することを特徴とする請求項２２記載の撮像装置。
（ｋ）    ０．０００＜Φｐ・（ΔθgF）ｐ・Ｌ＜０．１
ただし、Φｐ、（ΔθgF）ｐはそれぞれその正のレンズ群に含まれる何れかの正レンズの空気中での屈折力、及び、その媒質の異常分散性、Ｌは撮像素子の有効撮像領域の対角長（ｍｍ）である。
【請求項２４】
前記正のレンズ群に含まれる何れかの負レンズが以下の条件（ｌ）を満足することを特徴とする請求項２２又は２３記載の撮像装置。
（ｌ）    ０．０００＜Φｎ・（ΔθgF）ｎ・Ｌ＜０．０３
ただし、Φｎ、（ΔθgF）ｎはそれぞれその正のレンズ群に含まれる何れかの負レンズの空気中での屈折力、及び、その媒質の異常分散性、Ｌは撮像素子の有効撮像領域の対角長（ｍｍ）である。
【請求項２５】
前記正のレンズ群に含まれる何れかの負レンズが以下の条件（ｍ）を満足することを特徴とする請求項２２から２４の何れか１項記載の撮像装置。
（ｍ）    −２．８＜（ΦＣ１ｎ＋ΦＣ２ｎ）・Ｌ＜−０．６
ただし、
ΦＣ１ｎは、２つの接合レンズの中の物体側に配された接合レンズの負レンズの空気中での屈折力、
ΦＣ２ｎは、２つの接合レンズの中の像側に配された接合レンズの負レンズの空気中での屈折力、
Ｌは、撮像素子の有効撮像領域の対角（ｍｍ）長である。
【請求項２６】
前記２つの接合レンズの中の物体側に配された接合レンズは正の屈折力を有し、像側に配された接合レンズは負の屈折力を有し、以下の条件（ｑ）を満足することを特徴とする請求項２２から２５の何れか１項記載の撮像装置。
（ｑ）    ０．０１＜ｄＡ／Ｌ＜０．０６
ただし、ｄＡは正のレンズ群における２つの接合レンズの光軸上での空気間隔、Ｌは撮像素子の有効撮像領域の対角長（ｍｍ）である。
【請求項２７】
前記２つの接合レンズの中の像側に配された接合レンズの接合面が以下の条件（５）を満足することを特徴とする請求項２２から２６の何れか１項記載の撮像装置。
（５）    −０．４＜Ｌ／Ｒc2c ＜１．２
ただし、Ｒc2c は２つの接合レンズの中の像側に配された接合レンズの接合面の光軸上の曲率半径、Ｌは撮像素子の有効撮像領域の対角長である。
【請求項２８】
前記ズームレンズは最も像側に以下の条件（ｗ）を満足する両面が非球面のレンズを有するレンズ群を配したことを特徴とする請求項２２から２７の何れか１項記載の撮像装置。
（ｗ）    −０．０５＜（AspRR −AspRF ）／Ｌ＜０
ただし、AspRF は両面が非球面のレンズの物体側の面の光軸上の曲率半径を持つ球面に対する光軸方向の偏倚量であり、AspRR は両面が非球面のレンズの像側の面の光軸上の曲率半径を持つ球面に対する光軸方向の偏倚量であり、偏倚量は光軸からの高さが０．４Ｌでの量であり、物体側への偏倚を負値とする。Ｌは撮像素子の有効撮像領域の対角長（ｍｍ）である。
【請求項２９】
撮像素子が以下の条件（ｚ）を満足することを特徴とする請求項２２乃至２８の何れか１項記載の撮像装置。
（ｚ）    ２×１０-2≦ｓ・ｐ／Ｌ≦４×１０-2
ただし、ｐ／Ｌ≦４．５×１０-4を満足し、ｓは無限遠物点合焦時の広角端での最も物体側面から撮像面までの実際のレンズ系全長（ｍｍ）、ｐは水平画素ピッチ（ｍｍ）、Ｌは撮像素子の有効撮像領域の対角長（ｍｍ）である。